(57)【要約】【課題】個人情報であるユーザー情報と、装置の設定値等のサービス情報とを、ユーザー情報が流出することなくバックアップおよび管理する。【解決手段】装置固有のＩＤ、および装置の設定に関する第１の情報と、ユーザーの個人情報に関する第２の情報とを記憶する不揮発性メモリ１０９と、ユーザーが動作指示のための入力を行なうとともにユーザーに表示を行なう操作表示部１０８と、外部記録媒体が着脱され、前記外部記録媒体からのデータの読み込み、および前記外部記録媒体へのデータの書き込みをする記録媒体読取部１１０と、記録媒体読取部１１０に装着された外部記録媒体が、第１の情報又は第２の情報のいずれに関連付けられているかを判別し、第１の情報に関連付けられていると判別したとき、不揮発性メモリ１０９が記憶する第１の情報を、記録媒体読取部１１０によって外部記録媒体に書き込ませるＣＰＵ１０１とを備える。【選択図】          図１
2004348365.tif 000002
【特許請求の範囲】
【請求項１】
装置固有のＩＤを記憶するＩＤ記憶手段と、
装置の設定に関する第１の情報と、ユーザーの個人情報に関する第２の情報とを記憶する情報記憶手段と、
ユーザーが動作指示のための入力を行なう指示入力手段と、
ユーザーに表示を行なう表示手段と、
外部記録媒体が着脱され、前記外部記録媒体からのデータの読み込み、および前記外部記録媒体へのデータの書き込みをする記録媒体入出力手段と、
前記記録媒体入出力手段に装着された前記外部記録媒体が、前記第１の情報または前記第２の情報のいずれに関連付けられているかを判別する情報属性判別手段と、
前記情報属性判別手段が、前記記録媒体入出力手段に装着された前記外部記録媒体が前記第１の情報に関連付けられていると判別したとき、前記情報記憶手段が記憶する第１の情報を、前記記録媒体入出力手段によって前記外部記録媒体に書き込ませるバックアップ制御手段とを備えたことを特徴とするデータバックアップ装置。
【請求項２】
前記バックアップ制御手段は、前記情報記憶手段が記憶する第１の情報とともに、前記ＩＤ記憶手段が記憶する装置固有のＩＤを、前記記録媒体入出力手段によって前記外部記録媒体に書き込ませることを特徴とする請求項１記載のデータバックアップ装置。
【請求項３】
前記外部記録媒体に書き込まれた装置固有のＩＤと、前記ＩＤ記憶手段が記憶する装置固有のＩＤが一致したとき、前記バックアップ制御手段によって前記外部記録媒体に書き込まれた第１の情報を、前記情報記憶手段に書き戻すリストア制御手段とを備えたことを特徴とする請求項２記載のデータバックアップ装置。
【請求項４】
前記記録媒体入出力手段に前記外部記録媒体が装着されたとき、前記バックアップ制御手段による前記外部記録媒体への書き込みのためのガイダンス、および前記リストア制御手段による前記情報記憶手段への書き戻しのためのガイダンスを前記表示手段に表示させるガイダンス制御手段とを備えたことを特徴とする請求項３に記載のデータバックアップ装置。
【請求項５】
前記バックアップ制御手段は、前記情報属性判別手段が前記記録媒体入出力手段に装着された前記外部記録媒体が、前記第２の情報に関連付けられていると判別したとき、前記情報記憶手段が記憶する第２の情報を、前記記録媒体入出力手段によって前記外部記録媒体に書き込ませることを特徴とする請求項４に記載のデータバックアップ装置。
【請求項６】
前記バックアップ制御手段は、前記情報属性判別手段が前記記録媒体入出力手段に装着された前記外部記録媒体が、前記第２の情報に関連付けられていると判別したとき、前記ユーザーにユーザーＩＤを入力させるためのガイダンスを前記表示手段に表示させ、前記指示入力手段により入力されたユーザーＩＤを、前記情報記憶手段が記憶する第２の情報とともに、前記記録媒体入出力手段によって前記外部記録媒体に書き込ませることを特徴とする請求項５に記載のデータバックアップ装置。
【発明の詳細な説明】
【０００１】
【発明の属する技術分野】
本発明は、装置内に保存された設定データ等をメモリカード等の外部記録媒体にバックアップしたり、外部記録媒体からリストアするデータバックアップ装置に関する。
【０００２】
【従来の技術】
近年、ビット単価が安価で記憶容量が大きいカード状の外部記録媒体（一般にメモリカードと称される）が普及しており、このメモリカードはパーソナルコンピュータのオペレーティングシステムからアクセス可能なファイルシステムを採用するなど汎用性を有している。
【０００３】
メモリカード等の外部記録媒体に装置の設定情報等をバックアップするデータバックアップ装置としては、装置のパラメータメモリに登録されている設定情報を全て読み出して外部記録媒体にバックアップし、逆に外部記録媒体からパラメータメモリにリストアするようにしたものが知られている（例えば、特許文献１参照）。
【０００４】
また、メモリカード装着手段にメモリカードが装着されたことを検出し、このメモリカードに格納されているファンクションキー、ユーザパラメータ、内部スイッチ等のユーザー設定情報を、パラメータとしてパラメータ記憶手段に格納したり、逆にパラメータ記憶手段からメモリカードにユーザー設定情報を格納するようにしたものが知られている（例えば、特許文献２参照）。
【０００５】
また、記録再生装置の自己診断データをメモリカードに記憶するようにしたものが知られている（例えば、特許文献３参照）。
【０００６】
【特許文献１】
特開２０００−３５４１２１号公報
【０００７】
【特許文献２】
特開平７−７９３０６号公報
【０００８】
【特許文献３】
特許第２７９３９２８号
【０００９】
【発明が解決しようとする課題】
しかしながら、従来の技術では、個人情報であるアドレス帳（送信先電話番号等）等のデータと、装置の設定情報とを一つのメモリカードにバックアップしているため、アドレス帳のデータが流出しやすく、また流出を防止するためにはメモリカードの保管や管理が不便であるという問題があった。
【００１０】
本発明は、個人情報であるアドレス帳等のユーザー情報と、装置の設定値等のサービス情報とを、個人情報であるユーザー情報が流出することなくバックアップおよび管理することができるデータバックアップ装置を提供することを目的としている。
【００１１】
【課題を解決するための手段】
本発明のデータバックアップ装置は、上記課題を解決するために、装置固有のＩＤを記憶するＩＤ記憶手段と、装置の設定に関する第１の情報と、ユーザーの個人情報に関する第２の情報とを記憶する情報記憶手段と、ユーザーが動作指示のための入力を行なう指示入力手段と、ユーザーに表示を行なう表示手段と、外部記録媒体が着脱され、前記外部記録媒体からのデータの読み込み、および前記外部記録媒体へのデータの書き込みをする記録媒体入出力手段と、前記記録媒体入出力手段に装着された前記外部記録媒体が、前記第１の情報または前記第２の情報のいずれに関連付けられているかを判別する情報属性判別手段と、前記情報属性判別手段が、前記記録媒体入出力手段に装着された前記外部記録媒体が前記第１の情報に関連付けられていると判別したとき、前記情報記憶手段が記憶する第１の情報を、前記記録媒体入出力手段によって前記外部記録媒体に書き込ませるバックアップ制御手段とを備えたことを特徴としている。
【００１２】
この構成により、本発明のデータバックアップ装置では、サービス情報とユーザー情報とを１つの外部記録媒体にバックアップするよりも、外部記録媒体の保管や利用を安全に行なうことができ、個人情報であるユーザー情報が流出することなくサービス情報とユーザー情報のバックアップおよび管理をすることができる。
【００１３】
また、本発明のデータバックアップ装置は、上記課題を解決するために、前記バックアップ制御手段は、前記情報記憶手段が記憶する第１の情報とともに、前記ＩＤ記憶手段が記憶する装置固有のＩＤを、前記記録媒体入出力手段によって前記外部記録媒体に書き込ませることを特徴としている。
【００１４】
この構成により、本発明のデータバックアップ装置では、バックアップされたデータをリストアする際に、他のデータバックアップ装置のバックアップデータを誤ってリストアしてしまうことを防ぐことができる。
【００１５】
また、本発明のデータバックアップ装置は、上記課題を解決するために、前記外部記録媒体に書き込まれた装置固有のＩＤと、前記ＩＤ記憶手段が記憶する装置固有のＩＤが一致したとき、前記バックアップ制御手段によって前記外部記録媒体に書き込まれた第１の情報を、前記情報記憶手段に書き戻すリストア制御手段とを備えたことを特徴としている。
【００１６】
この構成により、本発明のデータバックアップ装置では、バックアップされたデータをリストアする際に、他のデータバックアップ装置のバックアップデータを誤ってリストアしてしまうことがない。
【００１７】
また、本発明のデータバックアップ装置は、上記課題を解決するために、記録媒体入出力手段に前記外部記録媒体が装着されたとき、前記バックアップ制御手段による前記外部記録媒体への書き込みのためのガイダンス、および前記リストア制御手段による前記情報記憶手段への書き戻しのためのガイダンスを前記表示手段に表示させるガイダンス制御手段とを備えたことを特徴としている。
【００１８】
この構成により、本発明のデータバックアップ装置では、ユーザーは説明書等を参照することなくバックアップ操作およびリストア操作をすることができる。
【００１９】
また、本発明のデータバックアップ装置は、上記課題を解決するために、前記バックアップ制御手段は、前記情報属性判別手段が前記記録媒体入出力手段に装着された前記外部記録媒体が、前記第２の情報に関連付けられていると判別したとき、前記情報記憶手段が記憶する第２の情報を、前記記録媒体入出力手段によって前記外部記録媒体に書き込ませることを特徴としている。
【００２０】
この構成により、本発明のデータバックアップ装置では、サービス情報とユーザー情報とを１つの外部記録媒体にバックアップするよりも、外部記録媒体の保管や利用を安全に行なうことができ、個人情報であるユーザー情報が流出するのを防止することができる。
【００２１】
また、本発明のデータバックアップ装置は、上記課題を解決するために、前記バックアップ制御手段は、前記情報属性判別手段が前記記録媒体入出力手段に装着された前記外部記録媒体が、前記第２の情報に関連付けられていると判別したとき、前記ユーザーにユーザーＩＤを入力させるためのガイダンスを前記表示手段に表示させ、前記指示入力手段により入力されたユーザーＩＤを、前記情報記憶手段が記憶する第２の情報とともに、前記記録媒体入出力手段によって前記外部記録媒体に書き込ませることを特徴としている。
【００２２】
この構成により、本発明のデータバックアップ装置では、外部記録媒体から個人情報であるユーザー情報が流出するのを防止することができる。
【００２３】
【発明の実施の形態】
以下、本発明の好ましい実施形態を図面に基づいて説明する。
【００２４】
図１は本発明の一実施形態のデータバックアップ装置を示す図であり、データバックアップ装置を画像形成装置に適用し、原稿の読み取り、複写、ＦＡＸの送受信等を行なう機能を持たせるようにした例を示すものである。
【００２５】
図１に示すように、このデータバックアップ装置１００は、ＣＰＵ１０１と、ＲＯＭ１０２と、ＲＡＭ１０３と、スキャナ１０４と、ハードディスク１０５と、プロッタ１０６と、タイマ１０７と、操作表示部１０８と、不揮発性メモリ１０９と、記録媒体読取部１１０と、ネットワークインタフェース１１１とを含んで構成される。
【００２６】
ＣＰＵ１０１は、ＲＡＭ１０３の所定領域をワーキングエリアとして使用し、ＲＯＭ１０２に格納された各種プログラムを実行することによって、画像形成装置としての機能を持つデータバックアップ装置１００の各種機能を実行する。
【００２７】
スキャナ１０４は、原稿の画像を読み取って画像情報を出力する原稿読取手段であり、送信原稿に記録されている文字や図形などの画像情報を、光学系とＣＣＤイメージセンサ等によりを走査して読み取り電気信号に変換する。
【００２８】
ハードディスク１０５は、スキャナ１０４が読み取った画像情報や、ネットワークインタフェース１１１を介して受信する画像データを記憶する。
【００２９】
プロッタ１０６は、画像情報を記録紙に印字して出力するものであり、例えば、サーマル式プロッタ、インクジェット式プロッタ、電子写真式プロッタ等を使用することができる。
【００３０】
タイマ１０７は、現在日時やある時点からの経過時間を計時する。
【００３１】
操作表示部１０８は、図５に示すように、データバックアップ装置１００による送受信処理に必要な入力操作や、送信相手先のファクシミリ番号（電話番号）等をワンタッチダイヤル又は短縮ダイヤルに登録したり、その他の情報を設定情報として登録するために使用する各種キーと、その操作によって入力される情報、装置の状態、操作のガイダンス等を表示するＬＣＤ等の表示画面２０８とからなっている。
【００３２】
具体的には、各種キーとして、スキャナ１０４により原稿を読み取って、読み取った画像情報をプロッタ１０６により転写紙に印字出力させる複写動作を開始させたり、スキャナ１０４により原稿を読み取って、読み取った画情報をネットワークインタフェースを介して相手先ファクシミリ端末に送信するファクシミリ送信を開始させるためのスタートキー２０１、数値入力をするためのテンキー２０４、入力された数値を取り消したり、動作の中止をするためのクリアキー２０２、プロッタ１０６が転写紙に印字をする際のトナー濃度を設定するための濃度調整キー２０３を備える。なお、テンキー２０４により入力された複写枚数等の値はカウンタ２０７により表示されるようになっている。また、上記の他に各種キーとして、複写動作、ファクシミリ送受信動作等の途中で、他の動作を行なうための割込キー２０５と、動作モードを取り消すためのモードクリアキー２０６を備え、更に、表示画面２０８の表示領域外の近傍に確定キー２１１、消去キー２１０、キャンセルキー２０９を備えている。
【００３３】
なお、操作表示部１０８は、ＬＣＤに透明なタッチパネルとを重ねて構成することにより操作入力をする各種キーと表示画面を一体にすることもできる。
【００３４】
不揮発性メモリ１０９は、ＣＰＵ１０１がＲＯＭ１０２に格納された各種プログラムを実行してデータバックアップ装置１００の各種機能を実行する際のパラメータ等の設定情報である“サービス情報”と、ネットワークインタフェース１１１を介して外部器機とファクシミリ通信等のデータ授受をする際のアドレス帳（送信先の電話番号やファクシミリ番号）等の“ユーザー情報”を記憶するＮＶ−ＲＡＭである。ユーザー情報としては、アドレス帳の他に利用者のプライバシーに関わるような設定情報が含まれる。また、不揮発性メモリ１０９は、バックアップ装置固有の装置ＩＤを記憶するようになっている。
【００３５】
記録媒体読取部１１０は、メモリカード等の外部記録媒体が着脱自在に構成されており、装着された外部記録媒体に不揮発性メモリ１０９が記憶する設定情報やアドレス帳のデータを書き込んだり、外部記録媒体から設定情報やアドレス帳のデータを読み込むようになっている。
【００３６】
ネットワークインタフェース１１１は、電話回線等の通信回線に接続され、データの送受信にあたって所定の回線制御を行ったり、画情報を変復調伝送するとともに、伝送制御のための各種手順信号を伝送するようになっている。
【００３７】
ここで、図２〜図４を参照して、不揮発性メモリ１０９が記憶するサービス情報とユーザー情報と、これらの情報を記録媒体読取部１１０に装着された外部記録媒体に記録する際の扱いについて説明する。なお、本実施形態では、データバックアップ装置１００側から外部記録媒体にデータを書き出すことをバックアップと言い、外部記録媒体からデータバックアップ装置側にデータを書き戻すことをリストアと言う。
【００３８】
図２は、不揮発性メモリ１０９内部の記憶領域を示す図である。図２において、サービス情報はカウンタＡ、カウンタＢ、カウンタＣ、・・・、というように複数のカウンタから構成されるサービス情報記憶エリア１０９ａに記憶されている。また、ユーザー情報は、アドレスＡ、アドレスＢ、アドレスＣ、・・・、というように複数のアドレスから構成されるユーザー情報記憶エリア１０９ｂに記憶されている。
【００３９】
図３（ａ）、（ｂ）は、記録媒体読取部１１０に装着される外部記録媒体内部のデータ構成を示すものである。
【００４０】
図３（ａ）は、不揮発性メモリ１０９からサービス情報がまだ一度も記録されていない状態（以下、ブランク状態という）の外部記録媒体のデータ構成を示す。メモリカード等の外部記録媒体は、ブランク状態において予めサービス情報かユーザー情報のどちらを記録するためのものであるかを示す属性が記録されるようになっており、図３に示すブランク状態の外部記録媒体には、サービス情報を記録するためのものであることを示すサービス属性が記録されている。また、サービス属性とともに、サービス情報の各種項目である作成日、作成拠点、シリアルナンバーと、電子署名が記録されている。
【００４１】
図３（ｂ）は、不揮発性メモリ１０９に記憶されたサービス情報が記録（バックアップ）された状態の外部記録媒体のデータ構成を示す。バックアップによって、カウンタＡ、カウンタＢ、カウンタＣ、・・・、というように複数のカウンタから構成されるサービス情報が記録されている。
【００４２】
次に、図４（ａ）、（ｂ）を参照してユーザー情報が記録される外部記録媒体のデータ構成について説明する。
【００４３】
図４（ａ）は、不揮発メモリ１０９からユーザー情報がまだ一度も記録されてないブランク状態の外部記録媒体のデータ構成を示す。図４（ａ）に示す外部記録媒体には、ユーザー情報を記録するためのものであることを示すユーザー属性が記録されている。また、ユーザー属性とともに、ユーザー情報の各種項目である作成日、作成拠点、シリアルナンバーと、電子署名が記録されている。
【００４４】
図４（ｂ）は、不揮発性メモリ１０９からユーザー情報が記録された状態の外部記録媒体のデータ構成を示す。バックアップによって、アドレスＡ、アドレスＢ、アドレスＣ、・・・、というように複数のアドレスから構成されるユーザー情報が記録されている。
【００４５】
次に、このように構成されたデータバックアップ装置１００の動作について説明する。
【００４６】
まず、図８に示すフローチャートを参照して、不揮発性メモリ１０９が記憶するサービス情報またはユーザー情報を、記録媒体読取部１１０に装着した外部記録媒体に書き込むバックアップ動作について説明する。
【００４７】
まず、記録媒体読取部１１０に外部記録媒体が装着されたか否かを判別し（ステップ１）で、装着されているならば（ステップ１で“ＹＥＳ”）、装着された外部記録媒体にサービス属性が記録されているか否かを判別する（ステップ２）。
【００４８】
外部記録媒体にサービス属性が記録されているならば、ユーザーにバックアップ操作を案内するガイダンス画面としてのサービス画面を表示画面２０８に表示する（ステップ３）。
【００４９】
ここで、ユーザーは操作表示部１０８のキー操作によりバックアップを選択することにより（ステップ４）、記録媒体読取部１１０は外部記録媒体に記録されたデータを読み取り（ステップ５）、次いで、読み取っているデータに装置ＩＤが含まれているかをチェックするとともに外部記録媒体内のデータを終わりまで全て読み取ったかを判別する（ステップ６）。
【００５０】
ステップ６において読み取っているデータ内に装置ＩＤが見つからないまま全てのデータを読み取った場合は、当該外部記録媒体には本データバックアップ装置１００の装置ＩＤを有するバックアップデータがまだ記録されていことになるので、外部記録媒体内に新規のバックアップデータ用のファイルを作成してこの新規ファイルを開く（ステップ１７）。
【００５１】
次いで、ステップ１７で作成された新規のファイル内に不揮発性メモリ１０９からサービス情報を書き込み（ステップ９）、サービス情報が書き込まれた新規ファイルを閉じる（ステップ１０）。
【００５２】
一方、ステップ６において、読み取っているデータ内に装置ＩＤが含まれていた場合は、この装置ＩＤとデータバックアップ装置１００に記憶されている装置ＩＤとが一致するか否かを判別し（ステップ７）、一致しているならばその一致したファイルを開く（ステップ８）。
【００５３】
次いで、ステップ８で開いたファイル内に不揮発性メモリ１０９からサービス情報を書き込み（ステップ９）、サービス情報が書き込まれた新規ファイルを閉じる（ステップ１０）。ステップ７において装置ＩＤが一致しなかったならば、ステップ５に戻る。
【００５４】
また、ステップ２において記録媒体読取部に装着された外部記録媒体にサービス属性が記録されていないと判別された場合は、この外部記録媒体にユーザー属性が記録されているか否かを判別する（ステップ１１）。
【００５５】
ユーザー属性が記録されていると判別された場合は、ユーザーが個々に決めたユーザーＩＤを入力することを案内する図７に示すようなユーザーＩＤ入力画面を表示画面２０８に表示して、ユーザーＩＤを入力させる（ステップ１２）。
【００５６】
次いで、外部記録媒体内に過去にバックアップしたファイルが有るか否かを判別し（ステップ１３）、過去にバックアップしたファイルが有るならばそのファイルに、不揮発性メモリ１０９が記憶するユーザー情報としてのアドレス帳をバックアップして（ステップ１５）、ファイルを閉じる（ステップ１６）。
【００５７】
一方、ステップ１３において、過去にバックアップしたファイルが無いと判別された場合は、外部記録媒体内に新規のバックアップデータ用のファイルを作成してこの新規ファイルを開き（ステップ１４）、開いた新規ファイルにユーザー情報としてのアドレス帳をバックアップして（ステップ１５）、ファイルを閉じる（ステップ１６）。ステップ１５のバックアップにおいては、ステップ１２でユーザーにより入力されたユーザーＩＤをバックアップデータに含めるようになっている。
【００５８】
次に、図９に示すフローチャートを参照して、記録媒体読取部１１０に装着した外部記録媒体から、サービス情報またはユーザー情報を不揮発性メモリ１０９に書き戻すリストア動作について説明する。
【００５９】
まず、外部記録媒体が記録媒体読取部１１０に装着された状態で、図６に示すように表示画面２０８に外部記録媒体内にバックアップされているファイルが表示され、ユーザーは何れのバックアップファイルをリストアするかを選択する（ステップ２１）。
【００６０】
次いで、記録媒体読取部１１０はユーザーが選択したバックアップファイルを不揮発性メモリ１０９に書き戻すリストア動作を開始し（ステップ２２）、リストア動作が完了すると、操作表示部１０８の表示画面２０８にリストアが完了した旨を表示する（ステップ２３）。
【００６１】
なお、記録媒体読取部１１０に装着された外部記録媒体にユーザー属性が記録されていた場合は、ステップ２１でユーザーがバックアップするするファイルを選択した後、ステップ２２でリストア動作を開始する前に、ユーザーに操作表示部１０８からユーザーＩＤを入力させて、バックアップファイルに含まれるユーザーＩＤと、ユーザーが入力したユーザーＩＤが一致したときのみ、ユーザー情報であるアドレス帳のリストア動作をするようになっている。
【００６２】
また、記録媒体読取部１１０に装着された外部記録媒体にサービス属性が記録されていた場合は、ステップ２１でユーザーがバックアップするするファイルを選択した後、ステップ２２でリストア動作を開始する前に、バックアップ動作のステップ７で説明したのと同様に、外部記録媒体に記録された装置ＩＤとデータバックアップ装置１００に記憶されている装置ＩＤとが一致するか否かを判別し、一致している場合のみサービス情報のリストア動作をするようになっている。
【００６３】
このように、本実施形態では、外部記録媒体にサービス属性が記憶されている場合は、サービス情報のみを外部記録媒体にバックアップするようにしているので、サービス情報とユーザー情報とを１つの外部記録媒体にバックアップするよりも、外部記録媒体の保管や利用を安全に行なうことができ、個人情報であるユーザー情報が流出するのを防止することができる。
【００６４】
また、サービス情報とともに装置ＩＤを外部記録媒体にバックアップするようにしているので、バックアップされたデータをリストアする際に、他のデータバックアップ装置のバックアップデータを誤ってリストアしてしまうことを防ぐことができる。
【００６５】
また、外部記録媒体に記録された装置ＩＤとデータバックアップ装置１００に記憶されている装置ＩＤとが一致するか否かを判別し、一致している場合のみサービス情報をリストアするようにしているので、バックアップされたデータをリストアする際に、他のデータバックアップ装置のバックアップデータを誤ってリストアしてしまうことがない。
【００６６】
また、バックアップ動作、及びリストア動作をする際に、操作表示部１０８にガイダンス画面を表示するようにしているので、ユーザーは説明書等を参照することなくバックアップ操作およびリストア操作をすることができる。
【００６７】
また、ユーザー属性が記録された外部記録媒体にユーザー属性が記録されている場合は、操作表示部１０８によってユーザーＩＤの入力を促すガイダンス画面を表示してユーザーＩＤを入力させ、ユーザーＩＤとともにユーザー情報を外部記録媒体にバックアップするようにしているので、外部記録媒体から個人情報であるユーザー情報が流出するのを防止することができる。
【００６８】
【発明の効果】
本発明によれば、個人情報であるアドレス帳等のユーザー情報と、装置の設定値等のサービス情報とを、個人情報であるユーザー情報が流出することなくバックアップおよび管理することができるデータバックアップ装置を提供することができる。
【図面の簡単な説明】
【図１】本発明の一実施形態に係るデータバックアップ装置の構成を示すブロック図。
【図２】一実施形態のデータバックアップ装置の不揮発性メモリのデータ構成を示す図。
【図３】（ａ）、（ｂ）は、一実施形態のデータバックアップ装置に装着される外部記録媒体のサービス情報のデータ構成を示す図。
【図４】（ａ）、（ｂ）は、一実施形態のデータバックアップ装置に装着される外部記録媒体のユーザー情報のデータ構成を示す図。
【図５】一実施形態のデータバックアップ装置の操作表示部の詳細を示す図。
【図６】一実施形態のデータバックアップ装置の操作表示部の表示画面の表示例を示す図。
【図７】一実施形態のデータバックアップ装置の操作表示部の表示画面の表示例を示す図。
【図８】一実施形態のデータバックアップ装置のバックアップ動作を説明するフローチャート。
【図９】一実施形態のデータバックアップ装置のリストア動作を説明するフローチャート。
【符号の説明】
１００    データバックアップ装置
１０１    ＣＰＵ（情報属性判別手段、バックアップ制御手段、リストア制御手段、ガイダンス制御手段）
１０２    ＲＯＭ
１０３    ＲＡＭ
１０４    スキャナ
１０５    ハードディスク
１０６    プロッタ
１０７    タイマ
１０８    操作表示部（指示入力手段、表示手段）
１０９    不揮発性メモリ（ＩＤ記憶手段、情報記憶手段）
１１０    記録媒体読取部（記録媒体入出力手段）
１１１    ネットワークインタフェース
【図１】
2004348365.tif 000003
【図２】
2004348365.tif 000004
【図３】
2004348365.tif 000005
【図４】
2004348365.tif 000006
【図５】
2004348365.tif 000007
【図６】
2004348365.tif 000008
【図７】
2004348365.tif 000009
【図８】
2004348365.tif 000010
【図９】
2004348365.tif 000011